(57)【要約】  膨張式パウチは、膨張性ウエブから形成されたブラダと、フィルムから形成された外装とを含む。ブラダは、膨張性ウエブの折曲げ縁部の底部と、折曲げ縁部の両側の前面部分および後面部分と、前面部分および後面部分が互いに密封されている側部とを含むブラダパウチを含む。外装は、フィルムの折曲げ縁部の底部と、折曲げ縁部の両側の前面部分および後面部分と、前面部分および後面部分が互いに接合されている側部とを含む外装パウチを含む。ブラダパウチおよび外装パウチの側部が外装パウチの側部に直接接合されないように、ブラダは、タック領域で外装に接合される。
2019531945.tif 000002
【特許請求の範囲】
【請求項１】
膨張式パウチであって、
膨張性ウエブから形成されたブラダであって、ブラダは、ブラダパウチを含み、膨張性ウエブは、ブラダパウチの前面部分とブラダパウチの後面部分とがブラダパウチの底部の異なる側にある状態でブラダパウチの底部を中心として折り曲げられ、ブラダパウチの前面部分の側部とブラダパウチの後面部分の側部とが互いに密封されてブラダパウチの側部を形成するブラダと、
フィルムから形成された外装であって、外装は、外装パウチを含み、フィルムは、外装パウチの前面部分と外装パウチの後面部分とが外装パウチの底部の異なる側にある状態で外装パウチの底部を中心として折り曲げられるか、あるいは外装パウチの底部で密封され、外装パウチの前面部分の側部と外装パウチの後面部分の側部とが互いに接合されて外装パウチの側部を形成する外装と
を備え、
ブラダは、タック領域で外装に接合され、タック領域は、ブラダパウチの側部が外装パウチの側部に直接接合されないように、ブラダパウチの少なくとも一方の側部のいかなる部分も、または外装パウチの側部のいかなる部分も含まない、膨張式パウチ。
【請求項２】
膨張性ウエブが、ブラダパウチの後面部分から延びてブラダのフラップ部分を形成し、フィルムは、外装パウチの後面部分から延びて外装のフラップ部分を形成する、請求項１に記載の膨張式パウチ。
【請求項３】
ブラダのフラップ部分が、共通チャネルを含む、請求項２に記載の膨張式パウチ。
【請求項４】
ガスを共通チャネル内に導くことによって複数の膨張性セルが膨張可能であるように、膨張性ウエブが、共通チャネルと連通する複数の膨張性セルを含む、請求項３に記載の膨張式パウチ。
【請求項５】
ブラダを外装に結合するタック領域が、ブラダのフラップ部分内および外装のフラップ部分内に位置する、請求項２に記載の膨張式パウチ。
【請求項６】
ブラダパウチが、外装パウチに直接接合されない、請求項５に記載の膨張式パウチ。
【請求項７】
ブラダのフラップ部分および外装のフラップ部分が、共に膨張式パウチのフラップを形成する、請求項２に記載の膨張式パウチ。
【請求項８】
膨張式パウチのフラップが、膨張式パウチを吊り下げるように構成された少なくとも１つのウィケットを受け入れるように構成された少なくとも１つの孔を含む、請求項７に記載の膨張式パウチ。
【請求項９】
少なくとも１つの孔が、ブラダのフラップ部分または外装のフラップ部分のうちの少なくとも一方を貫通する、請求項８に記載の膨張式パウチ。
【請求項１０】
少なくとも１つの孔が、フラップの少なくとも１つの引離し区画に配置され、引離し区画は、膨張式パウチが少なくとも１つのウィケットから引き離された後、少なくとも１つのウィケット上に残るように構成されている、請求項８に記載の膨張式パウチ。
【請求項１１】
フィルムが、膨張式パウチのフラップを閉じるように構成された剥離テープセグメントを有する取付け領域を含む、請求項７に記載の膨張式パウチ。
【請求項１２】
剥離テープセグメントが、ブラダのフラップ部分を越えて延びる外装のフラップ部分の一部にまたは外装パウチの前面部分の外部表面の少なくとも一方に、配置される、請求項１１に記載の膨張式パウチ。
【請求項１３】
膨張式パウチを形成する方法であって、
膨張性ウエブからブラダを形成することであって、ブラダは、ブラダパウチを含み、ブラダを形成することは、
ブラダパウチの前面部分とブラダパウチの後面部分とがブラダパウチの底部の異なる側にある状態でブラダパウチの底部に沿って膨張性ウエブを折り曲げることと、
ブラダパウチの前面部分の側部をブラダパウチの後面部分の側部に密封してブラダパウチの側部を形成することとを含む、ブラダを形成することと、
フィルムから外装を形成することであって、外装は、外装パウチを含み、外装を形成することは、
外装パウチの前面部分と外装パウチの後面部分とが外装パウチの底部の異なる側にある状態で外装パウチの底部に沿ってブラダの周りにフィルムを折り曲げるか、あるいは外装パウチの底部でフィルムを密封することと、
外装パウチの前面部分の側部を外装パウチの後面部分の側部に接合して外装パウチの側部を形成することとを含む、外装を形成することと、
タック領域でブラダを外装に接合することであって、タック領域は、ブラダパウチの側部が外装パウチの側部に直接接合されないように、ブラダパウチの少なくとも一方の側部のいかなる部分も、または外装パウチの側部のいかなる部分も含まない、ブラダを外装に接合することと、
を含む、方法。
【請求項１４】
膨張性ウエブが、連続する膨張性ウエブシートから形成され、フィルムは、連続するフィルムシートから形成される、請求項１３に記載の方法。
【請求項１５】
密封することが、連続する膨張性ウエブシートから形成された連続するブラダ間で膨張性ウエブを切断密封することを含み、接合することは、連続するフィルムシートから形成された連続する外装間でフィルムを密封することを含む、請求項１４に記載の方法。
【請求項１６】
膨張性ウエブを折り曲げることが、膨張性ウエブがブラダパウチの後面部分から延びてブラダのフラップ部分を形成するように膨張性ウエブをＪ字折りすることを含み、フィルムを折り曲げることは、フィルムが外装パウチの後面部分から延びて外装のフラップ部分を形成するようにフィルムをＪ字折りすることを含む、請求項１４に記載の方法。
【請求項１７】
外装パウチの前面部分の側部を外装パウチの後面部分の側部に接合して外装パウチの側部を形成することが、連続するフィルムシート内における連続する膨張式パウチの外装パウチの側部に沿って、ならびに連続する膨張性ウエブシートおよび連続するフィルムシート内における連続する膨張式パウチのフラップ部分縁部に沿って密封部を形成することを含み、
方法は、外装パウチの側部内の密封部と連続する膨張式パウチのフラップ部分縁部との間に弱化部分を形成することをさらに含む、請求項１４に記載の方法。
【請求項１８】
連続する膨張性ウエブシートおよび連続するフィルムシートから形成された隣接する膨張式パウチから膨張式パウチを取り外すことを可能にするミシン目線、または連続する膨張性ウエブシートから形成された隣接する膨張式パウチを分離する切れ目のうちの１つを、弱化部分が含む、請求項１７に記載の方法。
【請求項１９】
弱化部分が、連続する膨張式パウチ間にあるミシン目線およびミシン目線の内側部分にあるスリットを含み、スリットは、ミシン目線の切断を開始するように構成された舌部を受け入れるように構成されている、請求項１７に記載の方法。
【請求項２０】
少なくとも１つのウィケットとガス供給源とを支持するフレームを含む膨張システムを使用して膨張式パウチを調製する方法であって、方法は、
少なくとも１つのウィケットを複数の膨張式パウチのそれぞれの少なくとも１つの孔を通して挿入することによって少なくとも１つのウィケットに複数の膨張式パウチを吊り下げることと、
物品を複数の膨張式パウチのうちの１つの膨張式パウチに挿入することと、
ガス供給源から膨張式パウチのポート内にガスを導くことであって、ポートは、膨張式パウチの１つ以上の膨張性セルと流体連通し、ガスをポート内に導くことにより物品が膨張式パウチ内にある状態で１つ以上のセルを膨張させる、ガスを導くことと、
膨張式パウチを少なくとも１つのウィケットから取り外せるように膨張式パウチの一部を切断することによって膨張式パウチを膨張システムから引き離すことと、
を含む、方法。
【請求項２１】
膨張式パウチを膨張システムから引き離した後、物品を膨張式パウチ内に封入するために膨張式パウチのフラップを閉じること
をさらに含む、請求項２０に記載の方法。
【請求項２２】
膨張式パウチの部分を切断することが、膨張式パウチのフラップの角部で引離し部分を画定している２本のミシン目線を切断することを含み、膨張式パウチを膨張システムから引き離すことによって引離し部分がフラップから分離され、膨張式パウチを膨張システムから引き離した後、引離し部分が少なくとも１つのウィケット上に残る、請求項２０に記載の方法。
【請求項２３】
膨張式パウチの部分を切断することが、少なくとも１つの孔から膨張式メーラ（ｍａｉｌｅｒ）の縁部まで延びる弱化部分を切断することを含み、弱化部分は、膨張式メーラ内に１本以上のミシン目線または切欠きを含む、請求項２０に記載の方法。
【請求項２４】
ポートが、膨張式パウチのフラップ内に位置し、ガスがポートから１つ以上の膨張性セルへ流れることができるように、かつ１つ以上の膨張性セルからポートへのガスの流れを制限するように構成された逆止弁を、１つ以上の膨張性セルのそれぞれが含む、請求項２０に記載の方法。
【請求項２５】
複数の膨張式パウチのそれぞれは、
膨張性ウエブから形成されたブラダと、
フィルムから形成された外装と、
を備え、
ブラダの側部が外装の側部に直接接合されないように、ブラダのブラダパウチの側部のいかなる部分も、または外装の外装パウチの側部のいかなる部分も含まないタック領域で外装に、ブラダは結合される、請求項２０に記載の方法。
【発明の詳細な説明】
【技術分野】
【０００１】
本開示は、膨張式パウチの技術分野にある。より具体的には、本開示は、郵送、配送、または他の輸送状況において使用可能な膨張式パウチに関する。
【背景技術】
【０００２】
パウチは、配送用または郵送用の容器として頻繁に使用される。パウチは、文書、電子機器、衣服、または他のタイプの物品などさまざまなタイプおよび形状の物品を保持することができる。いくつかのパウチは、複数の層を有するスキンから形成される。これらの層は、不透明なプラスチックフィルム、クラフト紙、または他の保護材料など外部層によって覆われた、発泡体層、膨張セル層、または他のクッション材などクッション層を含む。クッション層は、パウチの内部に収納された物品を衝撃損傷から保護するのに役立ち、一方、外部層は、ほこりや屑がパウチ内に侵入するのを防ぐと共に、パウチ内の物品が見えないようにし、パウチにラベルを貼り付け、書き込み、および／または印刷することを可能にする。
【０００３】
本概要は、発明を実施するための形態において以下でさらに説明される概念の選択を簡略化された形で紹介するために提供される。本概要は、特許請求される主題の主要な構成を特定することを意図するものでもないし、特許請求される主題の範囲を決定する際の補助として使用されることを意図するものでもない。
【発明の概要】
【課題を解決するための手段】
【０００４】
一実施形態では、膨張式パウチは、膨張性ウエブから形成されたブラダとフィルムから形成された外装とを含む。ブラダは、ブラダパウチを含む。膨張性ウエブは、ブラダパウチの前面部分とブラダパウチの後面部分とがブラダパウチの底部の異なる側にある状態で、ブラダパウチの底部を中心として折り曲げられる。ブラダパウチの前面部分の側部とブラダパウチの後面部分の側部とは互いに密封されてブラダパウチの側部を形成する。外装は外装パウチを含む。フィルムは、外装パウチの前面部分と外装パウチの後面部分とが外装パウチの底部の異なる側にある状態で、外装パウチの底部を中心として折り曲げられるか、あるいは外装パウチの底部で密封される。外装パウチの前面部分の側部と外装パウチの後面部分の側部とが互いに接合されて、外装パウチの側部を形成する。ブラダはタック領域で外装に接合される。タック領域は、ブラダパウチの側部が外装パウチの側部に直接接合されないように、ブラダパウチの少なくとも一方の側部のいかなる部分も、または外装パウチの側部のいかなる部分も含まない。一例では、膨張性ウエブは、ブラダパウチの後面部分から延びてブラダのフラップ部分を形成し、フィルムは、外装パウチの後面部分から延びて外装のフラップ部分を形成する。
【０００５】
別の例では、ブラダのフラップ部分は共通チャネルを含む。別の例では、ガスを共通チャネル内に導くことによって複数の膨張性セルが膨張可能であるように、膨張性ウエブは共通チャネルと連通する複数の膨張性セルを含む。別の例では、ブラダを外装に結合するタック領域は、ブラダのフラップ部分内および外装のフラップ部分内に位置する。別の例では、ブラダパウチは、外装パウチに直接接合されない。別の例では、ブラダのフラップ部分および外装のフラップ部分は共に膨張式パウチのフラップを形成する。別の例では、膨張式パウチのフラップは、膨張式パウチを吊り下げるように構成された少なくとも１つのウィケットを受け入れるように構成された少なくとも１つの孔を含む。別の例では、少なくとも１つの孔は、ブラダのフラップ部分または外装のフラップ部分の少なくとも一方を貫通する。別の例では、少なくとも１つの孔は、フラップの少なくとも１つの引離し区画に配置され、引離し区画は、膨張式パウチが少なくとも１つのウィケットから引き離された後に、少なくとも１つのウィケット上に残るように構成される。別の例では、フィルムは、膨張式パウチのフラップを閉じるように構成された剥離テープセグメントを有する取付け領域を含む。別の例では、剥離テープセグメントは、ブラダのフラップ部分を越えて延びる外装のフラップ部分の一部にまたは外装パウチの前面部分の外部表面の少なくとも一方に配置される。
【０００６】
別の実施形態では、膨張式パウチを形成する方法は、膨張性ウエブからブラダを形成することを含み、ブラダはブラダパウチを含む。ブラダパウチの前面部分とブラダパウチの後面部分とがブラダパウチの底部の異なる側にある状態で、ブラダパウチの底部に沿って膨張性ウエブを折り曲げることと、およびブラダパウチの前面部分の側部をブラダパウチの後面部分の側部に密封してブラダパウチの側部を形成することとを、ブラダを形成することは含む。本方法は、フィルムから外装を形成することをさらに含み、外装は外装パウチを含む。外装パウチの前面部分および外装パウチの後面部分が外装パウチの底部の異なる側にある状態で、外装パウチの底部に沿ってブラダの周りにフィルムを折り曲げるか、あるいは外装パウチの底部でフィルムを密封することと、および外装パウチの前面部分の側部を外装パウチの後面部分の側部に接合して外装パウチの側部を形成することとを、外装を形成することは含む。本方法は、タック領域でブラダを外装に接合することをさらに含む。タック領域は、ブラダパウチの側部が外装パウチの側部に直接接合されないように、ブラダパウチの少なくとも一方の側部のいかなる部分も、または外装パウチの側部のいかなる部分も含まない。
【０００７】
一例では、膨張性ウエブは、連続する膨張性ウエブシートから形成され、フィルムは、連続するフィルムシートから形成される。別の例では、密封することは連続する膨張性ウエブシートから形成された連続するブラダ間で膨張性ウエブを切断密封することを含み、接合することは連続するフィルムシートから形成された連続する外装間でフィルムを密封することを含む。別の例では、膨張性ウエブを折り曲げることは、膨張性ウエブがブラダパウチの後面部分から延びてブラダのフラップ部分を形成するように膨張性ウエブをＪ字折りすることを含み、フィルムを折り曲げることは、フィルムが外装パウチの後面部分から延びて外装のフラップ部分を形成するようにフィルムをＪ字折りすることを含む。
【０００８】
別の例では、外装パウチの前面部分の側部を外装パウチの後面部分の側部に接合して外装パウチの側部を形成することは、連続するフィルムシート内における連続する膨張式パウチの外装パウチの側部に沿って、ならびに連続する膨張性ウエブシートおよび連続するフィルムシート内における連続する膨張式パウチのフラップ部分縁部に沿って密封部を形成することを含み、本方法は、外装パウチの側部内の密封部と連続する膨張式パウチのフラップ部分縁部との間に弱化部分を形成することをさらに含む。別の例では、連続する膨張性ウエブシートおよび連続するフィルムシートから形成された隣接する膨張式パウチから膨張式パウチを取り外すことを可能にするミシン目線、または連続する膨張性ウエブシートから形成された隣接する膨張式パウチを分離する切れ目のうちの１つを、弱化部分は含む。別の例では、連続する膨張式パウチ間にあるミシン目線およびミシン目線の内側部分にあるスリットを、弱化部分は含み、スリットは、ミシン目線の切断を開始するように構成された舌部を受け入れるように構成される。
【０００９】
別の実施形態では、膨張式パウチは、少なくとも１つのウィケットとガス供給源とを支持するフレームを含む膨張システムを使用して調製される。パウチ少なくとも１つのウィケットを複数の膨張式パウチのそれぞれの少なくとも１つの孔を通して挿入することによって少なくとも１つのウィケットに複数の膨張式パウチを吊り下げることを、膨張式パウチを調製する方法は含む。物品を複数の膨張式パウチのうちの１つの膨張式パウチに挿入することおよびガスをガス供給源から膨張式パウチのポート内に導くことを、本方法はさらに含む。ポートは膨張式パウチの１つ以上の膨張性セルと流体連通している。ガスをポート内に導くことにより、物品が膨張式パウチ内にある状態で１つ以上のセルを膨張させる。本方法は、膨張式パウチを少なくとも１つのウィケットから取り外せるように、膨張式パウチの一部を切断することによって膨張式パウチを膨張システムから引き離すことをさらに含む。
【００１０】
一例では、本方法は、膨張式パウチを膨張システムから引き離した後、物品を膨張式パウチ内に封入するために、膨張式パウチのフラップを閉じることをさらに含む。別の例では、膨張式パウチの部分を切断することは、膨張式パウチのフラップの角部で引離し部分を画定している２本のミシン目線を切断することを含み、膨張式パウチを膨張システムから引き離すことによって引離し部分は、フラップから分離され、膨張式パウチを膨張システムから引き離した後、引離し部分が少なくとも１つのウィケット上に残る。別の例では、膨張式パウチの部分を切断することは、少なくとも１つの孔から膨張式パウチの縁部まで延びる弱化部分を切断することを含み、弱化部分は、膨張式パウチ内に１本以上のミシン目線または切欠きを含む。
【００１１】
別の例では、ポートは、膨張式パウチのフラップ内に位置する。ガスがポートから１つ以上の膨張性セルへ流れることができるように、かつ１つ以上の膨張性セルからポートへのガスの流れを制限するように、構成された逆止弁を、１つ以上の膨張性セルのそれぞれは含む。別の例では、複数の膨張式パウチのそれぞれは、膨張性ウエブから形成されたブラダと、フィルムから形成された外装とを備え、ブラダの側部が外装の側部に直接接合されないように、ブラダのブラダパウチの側部のいかなる部分もまたは外装の外装パウチの側部のいかなる部分も含まないタック領域で外装に、ブラダは結合される。
【００１２】
開示された主題について前述の態様および付随する多くの利点は、以下の詳細な説明を参照してより良く理解されるようになるので、添付の図面を併用するとき、より容易に理解されるようになるであろう。
【図面の簡単な説明】
【００１３】
【図１】本明細書に開示の実施形態による、膨張式パウチのブラダを形成するために使用可能な膨張性ウエブの実施形態を示す図である。
【図２】本明細書に開示の実施形態による、図１に示された膨張性ウエブのＪ字折り構造の一実施形態を示す図である。
【図３】本明細書に開示の実施形態による、図２に示されたＪ字折り膨張性ウエブから形成されたブラダパウチを示す図である。
【図４】本明細書に開示の実施形態による、膨張式パウチの外装を形成するために使用可能なフィルムの実施形態を示す図である。
【図５】本明細書に開示の実施形態による、図３に示されるブラダパウチの周りで図４に示されるフィルムのＪ字折り構造の実施形態を示す図である。
【図６】本明細書に開示の実施形態による、図３に示すブラダパウチの周りでＪ字折りフィルム内に形成された外装パウチを示す図である。
【図７】本明細書に開示の実施形態による、膨張性ウエブおよびフィルムから形成された多数の膨張式パウチを示す図である。
【図８Ａ】本明細書に開示の実施形態による、ブラダパウチの側部を外装パウチの側部に直接接合されずに、膨張式パウチのブラダを膨張式パウチの外装に接合する方法を示す図である。
【図８Ｂ】本明細書に開示の実施形態による、ブラダパウチの側部を外装パウチの側部に直接接合されずに、膨張式パウチのブラダを膨張式パウチの外装に接合する方法を示す図である。
【図８Ｃ】本明細書に開示の実施形態による、ブラダパウチの側部を外装パウチの側部に直接接合されずに、膨張式パウチのブラダを膨張式パウチの外装に接合する方法を示す図である。
【図９】本明細書に開示の実施形態による、図７に示す膨張式パウチを膨張させるために膨張システムを使用する実施形態を示す図である。
【図１０Ａ】本明細書に開示の実施形態による、膨張後に図７に示す膨張式パウチのうちの１つに物品を収納する実施形態を示す図である。
【図１０Ｂ】本明細書に開示の実施形態による、膨張後に図７に示す膨張式パウチのうちの１つに物品を収納する実施形態を示す図である。
【図１１】本明細書に開示の実施形態による、図１０Ａおよび図１０Ｂに示す膨張式パウチを閉じる実施形態を示す図である。
【図１２Ａ】本明細書に開示の実施形態による、膨張式パウチの別の実施形態の正面図を示す図である。
【図１２Ｂ】本明細書に開示の実施形態による、膨張式パウチの別の実施形態の垂直断面図を示す図である。
【図１２Ｃ】本明細書に開示の実施形態による、膨張式パウチの別の実施形態の水平断面図を示す図である。
【図１３Ａ】本明細書に開示の実施形態による、膨張式パウチの別の実施形態の正面図を示す。
【図１３Ｂ】本明細書に開示の実施形態による、膨張式パウチの別の実施形態の垂直断面図を示す図である。
【図１４Ａ】本明細書に開示の実施形態による、膨張式パウチを個別に調製するために使用可能な膨張システムの正面図を示す図である。
【図１４Ｂ】本明細書に開示の実施形態による、膨張式パウチを個別に調製するために使用可能な膨張システムの側面図を示す図である。
【図１５Ａ】本明細書に開示の実施形態による、図１４Ａに示す膨張式パウチのうちの１つに物品を挿入する一実施形態を示す図である。
【図１５Ｂ】本明細書に開示の実施形態による、図１４Ｂに示す膨張式パウチのうちの１つに物品を挿入する一実施形態を示す図である。
【図１６Ａ】本明細書に開示の実施形態による、図１５Ａにおいて物品が挿入された膨張式パウチを膨張させる実施形態を示す図である。
【図１６Ｂ】本明細書に開示の実施形態による、図１５Ｂにおいて物品が挿入された膨張式パウチを膨張させる実施形態を示す図である。
【図１７Ａ】本明細書に開示の実施形態による、膨張システムのウィケットから引き離された、図１６Ａに示す膨張した膨張式パウチの実施形態を示す図である。
【図１７Ｂ】本明細書に開示の実施形態による、膨張システムのウィケットから引き離された、図１６Ｂに示す膨張した膨張式パウチの実施形態を示す図である。
【図１８Ａ】本明細書に開示の実施形態による、膨張式パウチを膨張システムのウィケットから容易に引き離すための弱化部分を有する膨張式パウチの他の実施形態の部分を示す図である。
【図１８Ｂ】本明細書に開示の実施形態による、膨張式パウチを膨張システムのウィケットから容易に引き離すための弱化部分を有する膨張式パウチの他の実施形態の部分を示す図である。
【図１８Ｃ】本明細書に開示の実施形態による、膨張式パウチを膨張システムのウィケットから容易に引き離すための弱化部分を有する膨張式パウチの他の実施形態の部分を示す図である。
【発明を実施するための形態】
【００１４】
本開示は、膨張後の外部の歪みが低減された膨張式パウチおよびその製造方法の実施形態を説明する。いくつかの例では、これらのパウチは、膨張性ウエブから形成されたブラダと、フィルムから形成された外装とを含む。膨張性ウエブを折り曲げてブラダパウチの前面部分と後面部分を形成し、前面部分と後面部分の側部は切断密封されてブラダパウチの側部を形成する。フィルムを折り曲げて外装パウチの前面部分と後面部分を形成し、前面部分と後面部分の側部は密封されて外装パウチの側部を形成する。ブラダと外装は、ブラダパウチの側部または外装パウチの側部を含まないタック領域で結合される。いくつかの例では、タック領域は、ブラダと外装のフラップ部分、ブラダパウチと外装パウチの底部中央部分、またはブラダパウチと外装パウチの別の中心位置にある。
【００１５】
既存の膨張式パウチの１つの問題は、パウチの膨張により膨張式パウチの外部表面に歪みが生ずることである。いくつかの既存の膨張式パウチでは、ブラダと外装は、側部密封部で接合されている。これらの膨張式パウチは、膨張するので、膨張したブラダが収縮すると外装が歪む。他の既存の膨張式パウチでは、外装が膨張性ブラダの片面を形成し、そしてブラダのセルが膨張すると膨張したセルが外装を歪ませる。両方の場合において、外装の外部の歪みにより、ラベルを膨張式パウチの外部に付着させること、またはユーザが膨張式パウチの外部に（例えば住所を）書くことが困難になる。
【００１６】
本明細書に記載の膨張式パウチの実施形態は、ブラダパウチおよび外装パウチの側部に直接接続されていないので、ブラダの膨張により既存の膨張式パウチに生じる歪みが生じることはない。したがって、本明細書に記載の膨張式パウチの実施形態では、ユーザは外装上に歪みを有するという問題を持つことなく、外装上にラベルを貼ったりおよび／または書いたりすることができる。
【００１７】
本開示はまた、膨張前および膨張中、膨張式パウチを保持するためのウィケットを有する膨張システムおよびその使用方法の実施形態を説明する。ウィケットは、多くの膨張式パウチを保持し、膨張システムはガス供給源を保持する。ユーザは、膨張式パウチがウィケット上にある間に、膨張式パウチを個別に充填して膨張させることができる。膨張式パウチの膨張後に膨張式パウチをウィケットから引き離し可能とするために、膨張式パウチは切断されるように構成される。いくつかの例では、膨張式パウチが充填され膨張された後に膨張式パウチをウィケットから引き離され得るように、ウィケットは膨張式パウチの引き離し部分にある孔から挿入される。
【００１８】
本明細書に開示の実施形態による、膨張式パウチを形成する実施形態が、図１から図７に示されている。より具体的には、図１は、膨張式パウチのブラダを形成するために使用される膨張性ウエブ１００の実施形態を示す。膨張性ウエブ１００は、多くの膨張性セル１０２を含む。この特定の実施形態では、膨張性セル１０２は、長く、狭く、そして互いに平行である。他の実施形態では、膨張性セルは、相互接続された任意形状の膨張性セルのパターンなどさまざまな形態をとってもよい。図示された実施形態では、膨張性セル１０２のそれぞれは、右側、左側、および底部で密封される。膨張性セル１０２の頂部は、膨張性ウエブ１００の頂部に位置した共通チャネル１０６と流体連通している。特定の条件下で、共通チャネル１０６に導入されたガスは、膨張性セル１０２内に導かれ膨張性セルを膨張させる。さまざまな膨張性セルパターンおよびその製造材料を含む膨張性ウエブの例は、米国特許第６，８００，１６２号明細書、米国特許第７，２２０，４７６号明細書、米国特許第８，５６８，０２９号明細書、および米国特許第８，７４５，９６０号明細書に記載されており、その内容は、全体が参照により本明細書に組み込まれる。
【００１９】
図２は、膨張性ウエブ１００のＪ字折り構造の実施形態を示す。図示された実施形態では、膨張性ウエブ１００は、折曲げ縁部１０８を中心として折り曲げられている。用語「Ｊ字折り」は、折り曲げられた縁部１０８が膨張性ウエブ１００の対称軸ではないことを示す（例えば、折曲げ縁部１０８の一方の側における膨張性ウエブ１００の長さは、折曲げ縁部１０８の他方の側における膨張性ウエブ１００の長さとは異なる）。膨張性ウエブ１００がＪ字折りされた後、ブラダの前面部分１１０は、折曲げ縁部１０８の一方の側に位置し、ブラダの後面部分１１２は、折曲げ縁部１０８の他方の側に位置する。ブラダのフラップ部分１１４は、後面部分１１２から上方に延びる。図示された実施形態では、共通チャネル１０６はフラップ部分１１４上に位置する。
【００２０】
図３は、Ｊ字折り膨張性ウエブ１００から形成されたブラダパウチ１０４を示す。ブラダパウチ１０４は、前面部分１１０と、後面部分１１２と、折曲げ縁部１０８によって形成された底部とを含む。切断密封部１１６が膨張性ウエブ１００内に作られ、前面部分１１０を後面部分１１２に密封し、ブラダパウチ１０４の側部１１８を形成する。図示された実施形態では、切断密封部１１６により膨張性ウエブ１００内に矩形の切欠きが形成され、膨張性ウエブ１００は、切欠きのすべての側部で密封される。折曲げ縁部１０８により膨張性セル１０２が折り曲げられていても、ガスが膨張性セル１０２の開口端部内に導入されるとき、依然として、折曲げ縁部１０８によりガスは、後面部分１１２から前面部分１１０へ通過していくことができる。図３に示された実施形態では、膨張性セル１０２の開口端部は、ブラダパウチ１０４の上方のフラップ部分１１４内に位置する。他の例では、膨張性セル１０２の開口端部は、ブラダパウチの頂部または他の任意の個所に位置する。
【００２１】
図４は、膨張式パウチの外装を形成するフィルム２００の一実施形態を示す。いくつかの実施形態では、フィルム２００の材料は、熱可塑性材料、厚紙、板紙、紙、フォイル、キャンバス、布、発泡フィルム等を含む（但し、これらに限定されない）、当該技術分野において既知のさまざまな材料から選択される１つ以上の材料を含む。一実施形態では、フィルム２００は、熱的に密封可能な熱可塑性材料から形成される。いくつかの実施形態では、フィルム２００は、不透明であり、膨張式パウチ内の物品が膨張式パウチの外部から見られないようにする。
【００２２】
図示された実施形態では、フィルム２００は、フィルム２００を膨張性ウエブ１００のフラップ部分１１４に接合するように構成されたタック領域２０２を含む。いくつかの実施形態では、以下に記載されるように、タック領域２０２は、ブラダと外装との間の唯一の直接の取付け部である。いくつかの実施形態では、タック領域２０２は、フィルム２００を膨張性ウエブ１００に接合するように構成された接着剤を含む。いくつかの実施形態では、本明細書に記載されているタック部分は、接着（例えば、ホットメルト接着剤を用いて）、テーピング、粘着、熱溶接、超音波溶接、ホチキス留め、鋲留め、締結、クリッピング、または他の取付け形態などのうち任意の１つ以上によって形成される。いくつかの実施形態では、タック領域２０２は、米国特許第６，１８２，４２６号明細書に記載のスポット密封部を含み、その内容は全体が参照により本明細書に組み込まれる。
【００２３】
図５は、ブラダパウチ１０４の周りでのフィルム２００のＪ字折り構造の実施形態を示す。図示された実施形態では、フィルム２００は、折曲げ縁部２０８を中心として折り曲げられている。フィルム２００がＪ字折りされているので、折曲げ縁部２０８の一方の側のフィルム２００の長さは、折曲げ縁部２０８の他方の側のフィルム２００の長さとは異なる。外装の前面部分２１０は、折曲げ縁部２０８の一方の側に位置し、外装の後面部分２１２は、折曲げ縁部２０８の他方の側に位置する。ブラダのフラップ部分２１４は、後面部分２１２から上方に延びる。図示された実施形態では、取付け領域２０６（例えば、剥離ライナで覆われた接着剤、剥離テープセグメント）は、前面部分２１０の外部に位置する。取付け領域２０６は、膨張式パウチを閉じるために使用可能である。図示された実施形態では、外装のフラップ部分２１４は、ブラダのフラップ部分１１４よりも上方に延びる。いくつかの実施形態では、膨張式パウチを閉じるために、フラップ部分１１４を超えて延びるフラップ部分２１４の部分を取付け領域２０６に接合することができる。
【００２４】
いくつかの代替の実施形態では、１枚のフィルムを折り曲げることによってではなく、２枚のフィルムを一緒に密封することによって、フィルム２００は図５に示される配置に至る。例えば、１枚のフィルムを膨張性ウエブ１００の後に配置し、他方のフィルムを膨張性ウエブ１００の前に配置することができる。図５で折曲げ縁部２０８が示されている箇所で２枚のフィルムを密封することができる。膨張性セル１０２のいずれか一方の側の膨張を妨げないように、密封部はブラダパウチ１０４の折曲げ縁部１０８の下方にある。本明細書における外装パウチの実施形態は、底部を中心として折り曲げられるように本明細書において示され説明されているが、外装パウチの実施形態のいずれも、代替的に、底部で密封してもよい。
【００２５】
図６は、Ｊ字折りフィルム２００に形成された外装パウチ２０４を示す。外装パウチ２０４は、前面部分２１０と、後面部分２１２と、折曲げ縁部２０８によって形成された底部とを含む。密封部２１６は、外装パウチ２０４の側部２１８に沿ってフィルム２００内に、そしてフラップ部分１１４およびフラップ部分２１４内の膨張性ウエブ１００およびフィルム２００内に作られる。パウチ２０４の側部２１８に沿って、前面部分２１０が外装パウチ２０４の後面部分２１２に接合される。図示された実施形態では、密封部２１６は、連続する膨張式パウチ間に２つの異なる密封部を含む熱的密封部である。他の実施形態では、密封部２１６は、単一の熱的密封部または外装パウチ２０４の前面部分２１０を後面部分２１２に接合し、フラップ部分１１４の縁部を密封する他のタイプの密封部を含む。密封部２１６が側部２１８を形成した状態で、外装パウチ２０４がブラダパウチ１０４の周りに位置する。以下でより詳細に示されるように、外装パウチ２０４の側部２１８は、ブラダパウチ１０４の側部１１８に直接接合されていない。図示された実施形態では、ブラダは、ブラダのフラップ部分１１４と外装のフラップ部分２１４との間のタック領域２０２によってのみ外装に接合される。
【００２６】
図７は、膨張性ウエブ１００およびフィルム２００から形成される多数の膨張式パウチ１４０１、１４０２、１４０３、１４０４、．．．、１０４Ｎ（集合的に膨張式パウチ１４０）を示す。図示された実施形態では、弱化部分１３０は、膨張式パウチ１４０と膨張式パウチ１４０との間の密封部２１６に形成される。図示された実施形態では、弱化部分１３０は、ミシン目線であり、ミシン目線の内側部分にスリットを有する。ある状況下においては、スリットによりロッド上に位置する舌部がスリットに挿入されてミシン目線を切断し始めることが可能になる。弱化部分１３０により、連続する１つの膨張式パウチ１４０を互いに分離することが可能になる。いくつかの実施形態では、弱化部分１３０は、ユーザが工具を使用せずに（例えば、ハサミまたは他の切断工具を使用せずに）手で連続する１つの膨張式パウチを分離できるように構成される。
【００２７】
図８Ａから図８Ｃは、膨張式パウチ１４０１のブラダが膨張式パウチ１４０１の外装にどのように接合されるかを示す。図８Ａに示すように、図８Ｂおよび図８Ｃは、それぞれ、膨張式パウチ１４０１の垂直断面図および水平断面図を示す。図８Ｂおよび図８Ｃに示すように、膨張式パウチ１４０１のブラダパウチ１０４と外装パウチ２０４は、互いに、直接接合されていない。特に、ブラダパウチ１０４の側部１１８は、外装パウチ２０４の側部に直接接合されていない。図８Ｂに示すように、ブラダのフラップ部分１１４は、ブラダのフラップ部分１１４と外装のフラップ部分２１４との間のタック領域２０２によって、外装のフラップ部分２１４に直接接合されている。ブラダのフラップ部分１１４および外装のフラップ部分２１４が膨張式パウチ１４０１のフラップを形成する。
【００２８】
図示された実施形態では、ブラダパウチ１０４の前面部分１１０、後面部分１１２、および側部１１８は、それぞれ、外装パウチ２０４の前面部分２１０、後面部分２１２、および側部２１８に直接接合されていない。この実施形態により、ブラダが膨張したとき、ブラダパウチ１０４は、外装パウチ２０４とはやや独立して動くことが可能になり、結果として、膨張後の外装の外部の歪みが減少する。図８Ｂに示す描写では、共通チャネル１０６の頂部は、開いたままであり、ガスは、共通チャネル１０６を介して膨張性セル１０２に導入可能となる。
【００２９】
図９に膨張システム１６０を使用して膨張式パウチ１４０を膨張させる実施形態が示されている。図示された実施形態では、膨張システム１６０は、供給ローラ１６２と、ガス供給源１６４と、密封機構１６６とを含む。膨張式パウチ１４０は、供給ローラ１６２上に配置された膨張式パウチ供給ロール１４２に巻かれる。膨張式パウチ１４０１、１４０２、および１４０３を含む膨張式パウチ供給ロール１４２の一方の端が、ガス供給源１６４に沿って、また密封機構１６６を介して供給される。
【００３０】
共通チャネル１０６は、ガス供給源１６４に沿って通っているので、ガス供給源１６４は、ガス１６８を共通チャネル１０６内に導き、膨張性セル１０２を膨張させる。ガス１６８は、共通チャネル１０６内およびブラダの後面部分１１２内へ至る膨張性セル１０２内へ導入されるが、膨張性セル１０２は、ブラダの前面部分１１０内へと続き、ブラダの前面部分１１０と後面部分１１２の両方が膨張する。いくつかの実施形態では、ガス供給源１６４は、外気を圧縮するように構成された圧縮機と、加圧ガスを含む加圧ガス容器と、ファンと、ガスを共通チャネル１０６内に導くように構成された他の機構と、またはそれらの任意の組合せとを含む。いくつかの実施形態では、ガス１６８は、外気、窒素ガス、または他の任意のガスもしくはガスの組合せである。膨張性セル１０２が膨張した後、密封機構１６６は、膨張性セル１０２の頂部付近に密封部１７０を形成する。図示の実施形態では、密封機構１６６は、ガス１６８が共通チャネル１０６内に導かれる点を超えて設置されたローラを含む。膨張性セルを膨張させるためのシステムの例は、米国特許第７，２２０，４７６号明細書および米国特許第８，５６８，０２９号明細書に記載されており、その両方の内容は、全体が参照により本明細書に組み込まれる。
【００３１】
図９に示す例では、膨張式パウチ１４０１および膨張式パウチ１４０２の膨張性セル１０２は、完全に膨張し密封されている。この状態では、膨張式パウチ１４０１および１４０２のブラダは、膨張している。膨張性セル１０２の一部は、膨張しているが膨張性セル１０２の全部は膨張していないとき、膨張式パウチ１４０３のブラダは、部分的に膨張している。膨張式パウチ１４０が左に動かされると、膨張式パウチ１４０３のブラダは膨張し続ける。一旦、膨張すると、膨張式パウチ１４０を互いに分離することができる。例えば、膨張式パウチ１４０１と膨張式パウチ１４０２との間の弱化部分１３０を切断することによって、膨張式パウチ１４０１を膨張式パウチ１４０２から分離することができる。同様に、膨張式パウチ１４０２と膨張式パウチ１４０３との間の弱化部分１３０を切断することによって、膨張式パウチ１４０２を膨張式パウチ１４０３から分離することができる。いくつかの実施形態では、膨張式パウチ１４０が膨張した後、膨張式パウチ１４０は、物品を保持し保護することができる。
【００３２】
また、図９に示す例では、膨張式パウチ１４０１と膨張式パウチ１４０２との間の弱化部分１３０の内部スリットに、舌部１７２が挿入されている。一実施形態では、舌部は、膨張式パウチ１４０の背後のロッド（図示せず）に接合されている。膨張式パウチ１４０１が左に引っ張られると、舌部１７２および／または舌部１７２に取り付けられたロッドにより、膨張式パウチ１４０２が所定位置に留まり、弱化部分１３０のミシン目線が切断され始める。膨張式パウチ１４０１が左に引っ張られ続けると、弱化部分１３０のミシン目線は、完全に切断されて、この結果、膨張式パウチ１４０１は、膨張式パウチ１４０２から分離される。
【００３３】
図１０Ａおよび図１０Ｂに、膨張後に物品１５０を膨張式パウチ１４０１内に収納する実施形態が示されている。図１０Ａでは、膨張性セル１０２が膨張状態にある間、物品１５０がブラダパウチ１０４の前面部分１１０と後面部分１１２との間の膨張式パウチ１４０１内に挿入される。図１０Ｂでは、物品１５０が膨張式パウチ１４０１内に完全に挿入されている。図１０Ａおよび図１０Ｂに示されている物品１５０は、携帯電話であるが、物品１５０は、膨張式パウチ１４０１の膨張したブラダ内にフィットできる任意の物品であり得る。
【００３４】
物品１５０を膨張式パウチ１４０１内に収納した後、膨張式パウチ１４０１を閉じて物品１５０を封入することができる。膨張式パウチ１４０１を閉じる実施形態を図１１に示す。図示された実施形態では、ブラダおよび外装のフラップ部分１１４および２１４は、外装パウチ２０４の外部表面の前に折り曲げられている。一実施形態では、ブラダのフラップ部分１１４を超えて延びる外装のフラップ部分２１４の部分は、取付け領域２０６に接合される。このように、膨張式パウチ１４０１は、ユーザ（例えば、膨張式パウチ１４０１の配送先受取人）が膨張式パウチ１４０１を開けるまで、膨張式パウチ１４０１内に物品１５０を完全に封入する。
【００３５】
図１２Ａ、図１２Ｂ、および図１２Ｃは、それぞれ、膨張式パウチ１４０’の別の実施形態の正面図、垂直断面図、および水平断面図を示す。膨張式パウチは、膨張性ウエブから形成されたブラダと、フィルムから形成された外装とを含む。膨張性ウエブは、前面部分１１０’と、後面部分１１２’と、フラップ部分１１４’とを含むブラダを形成する。膨張性ウエブは、ブラダの後面部分１１２’を通って前面部分１１０’に至る膨張性セル１０２’を含む。膨張性ウエブは、前面部分１１０’と後面部分１１２’との間の折曲げ縁部１０８’を中心として折り曲げられる。膨張性ウエブは、前面部分１１０’と、後面部分１１２’と、折曲げ縁部１０８’によって形成された底部とを含むブラダパウチ１０４’を形成する。ブラダパウチ１０４’の側部１１８’は、前面部分１１０’の側部と後面部分１１２’の側部との間の密封部から形成される。いくつかの実施形態では、側部１１８’は、膨張性ウエブ内の切断密封部から形成される。
【００３６】
膨張性セル１０２’のそれぞれは、共通チャネル１０６’と流体連通している。図１２Ｂに示すように、共通チャネル１０６’の頂部は、開いており、ガスは、共通チャネル１０６’を介して膨張性セル１０２’に導入可能となる。図１２Ａに示す実施形態では、逆止弁１２０’が膨張性セル１０２’と共通チャネル１０６’との間に位置する。逆止弁１２０’により、ガスが共通チャネル１０６’から膨張性セル１０２’内に流れることが可能になり、ガスが膨張性セル１０２’から共通チャネル１０６’内に流れことが制限される。このように、密封機構（例えば、図９に示した密封機構１６６）を必要とせずに（例えば、図９に示したガス供給源１６４を使用して）共通チャネル１０６’にガスを導入することによって、膨張性セル１０２’は充填され得る
【００３７】
フィルムは、前面部分２１０’と、後面部分２１２’と、フラップ部分２１４’とを含む外装を形成する。フィルムは、前面部分２１０’と後面部分２１２’との間の折曲げ縁部２０８’を中心としてブラダパウチ１０４’の周りに折り曲げられる。フィルムは、前面部分２１０’と、後面部分２１２’と、折曲げ縁部２０８’によって形成された底部とを含む外装パウチ２０４’を形成する。外装パウチ２０４’の側部２１８’は、前面部分２１０’の側部と後面部分２１２’の側部との間の密封部から形成される。外装のフラップ部分２１４’は、ブラダのフラップ部分１１４’の頂部を越えて延びる。図示された実施形態では、フラップ部分は、剥離ライナで覆われた接着剤などの取付け領域２０６’を含む。膨張式パウチ１４０’が閉じられると、取付け領域２０６’は、外装パウチ２０４’の前面部分２１０’の外部表面に付着することができる。
【００３８】
図１２Ｃに示すように、ブラダパウチ１０４’の側部１１８’は、外装パウチ２０４’の側部２１８’に直接接合されていない。ブラダは、ブラダパウチ１０４’および外装パウチ２０４’の底部中央に位置するタック領域２０２’によって外装に接合されている。ブラダが膨張すると、タック領域２０２’の直ぐ周りの外装パウチ２０４’の領域は、やや歪む可能性がある。しかしながら、外装パウチ２０４’の大部分は、変形せず、ユーザは、外装パウチ２０４’の前面部分２１０’または後面部分２１２’の外部に容易にラベルを貼ったり書いたりすることができる。他の実施形態では、タック領域２０２’は、ブラダパウチ１０４’の側部１１８’または外装パウチ２０４’の側部２１８’を含まない、ブラダパウチ１０４’および外装パウチ２０４’の任意の中央部分に位置してもよい。他の実施形態では、タック領域２０２’は、フラップ部分１１４’とフラップ部分２１４’との間に位置してもよい。
【００３９】
本明細書では、膨張式パウチ１４０および膨張式パウチ１４０’は、特定の構成のセットと共に説明されているが、膨張式パウチの他の実施形態は、膨張式パウチ１４０および膨張式パウチ１４０’に関して前述した構成の異なる組合せを含んでもよい。例えば、膨張式パウチの膨張性セル１０２は、膨張性セル１０２’上の逆止弁１２０’と同様な逆止弁を含むことができる。別の例では、膨張式パウチ１４０のブラダのフラップ部分１１４と外装のフラップ部分２１４との間のタック領域２０２と同様に、膨張式パウチ１４０’のタック領域２０２’は、ブラダのフラップ部分１１４’と外装のフラップ部分２１４’との間に位置することができる。構成の変形形態において、本明細書に記載の膨張式パウチの実施形態は、ブラダパウチの側部と外装パウチの側部とが互いに直接に接合されていないブラダパウチおよび外装パウチを含む。
【００４０】
図１３Ａおよび図１３Ｂは、それぞれ、膨張式パウチ３４０の別の実施形態の正面断面図および垂直断面図を示す。膨張式パウチ３４０は、膨張性ウエブから形成されたブラダと、フィルムから形成された外装とを含む。膨張性ウエブは、前面部分３１０と、後面部分３１２と、フラップ部分３１４とを含むブラダを形成する。膨張性ウエブは、ブラダの後面部分３１２を通って前面部分３１０に至る膨張性セル３０２を含む。図示された実施形態では、膨張性セルは、相互接続された円形の膨張性領域を含む。膨張性ウエブは、前面部分３１０と後面部分３１２との間の折曲げ縁部３０８を中心として折り曲げられる。膨張性ウエブは、前面部分３１０と、後面部分３１２と、折曲げ縁部３０８によって形成された底部とを含むブラダパウチ３０４を形成する。ブラダパウチ３０４の側部３１８は、前面部分３１０の側部と後面部分３１２の側部との間の密封部から形成される。いくつかの実施形態では、側部３１８は、膨張性ウエブ内の切断密封部から形成される。
【００４１】
膨張性セル３０２のそれぞれは、共通チャネル３０６と流体連通している。共通チャネル３０６は、ブラダのフラップ部分１１４のすべての側部で密封されている。共通チャネル３０６は、ガスを共通チャネル３０６内に導入することができるポート３６０を含む。特定の実施形態では、ポート３６０は、いかなる特定の弁も含まない孔である。他の実施形態では、ポート３６０は、ガス供給源の取付け具またはホースに着脱可能に結合されるように構成された弁を含む。図１３Ａに示す実施形態では、逆止弁３２０が膨張性セル３０２と共通チャネル３０６との間に位置する。逆止弁３２０は、ガスが共通チャネル３０６から膨張性セル３０２内に流れることを可能にし、かつガスが膨張性セル３０２から共通チャネル３０６内に流れることを制限する。このように、膨張性セル３０２の頂部を密封するための密封機構を必要とせず、ポートを介して共通チャネル３０６内にガスを導入することによって、膨張性セル３０２は充填され得る。
【００４２】
フィルムは、前面部分４１０と、後面部分４１２と、フラップ部分４１４とを含む外装を形成する。フィルムは、前面部分４１０と後面部分４１２との間の折曲げ縁部４０８を中心としてブラダパウチ３０４の周りに折り曲げられる。フィルムは、前面部分４１０と、後面部分４１２と、折曲げ縁部４０８によって形成された底部とを含む外装パウチ４０４を形成する。外装パウチ４０４の側部４１８は、前面部分４１０の側部と後面部分４１２の側部との間の密封部から形成される。外装のフラップ部分４１４はブラダのフラップ部分３１４の頂部を越えて延びる。図示された実施形態では、フラップ部分４１４は、剥離ライナで覆われた接着剤などの取付け領域４０６を含む。膨張式パウチ３４０が閉じられると、取付け領域４０６は、外装パウチ４０４の前面部分４１０の外部表面に付着することができる。
【００４３】
ブラダパウチ３０４の側部３１８は、外装パウチ４０４の側部４１８に直接に接合されていない。ブラダは、ブラダのフラップ部分３１４と外装のフラップ部分４１４との間に位置するタック領域４０２によって外装に接合される。この実施形態では、ブラダパウチ３０４の部分は、外装パウチ４０４のどの部分にも直接に接合されていない。
【００４４】
膨張式パウチ３４０は、弱化部分４６２を含む。弱化部分４６２は、膨張式パウチが吊り下げられているウィケットから膨張式パウチ３４０を引き離すために、切断されるように構成される。図示された実施形態では、弱化部分４６２はミシン目線状である。他の実施形態では、弱化部分４６２は、フィルム内の１本以上の切れ目線、切欠き部分、切込み線、または任意の他の種類の弱化部分を含む。図示された実施形態では、弱化部分４６２は、外装パウチ４０４の上面からフラップ部分４１４を通って斜めに延びる。弱化部分４６２は、フラップ部分４１４の角部に引離し部分４６４を形成する。孔４６６は、引離し部分４６４上に位置する。孔４６６は、膨張式パウチ３４０を吊り下げるように構成されたウィケットを受け入れるように構成される。図１４Ａから図１７Ｂに関して以下で説明されるように、膨張式パウチ３４０の弱化部分４６２を切断することによって、膨張式パウチ３４０は、膨張システムから引き離され、膨張式パウチ３４０は、膨張システムのウィケットから取り外され得る。
【００４５】
図１４Ａおよび図１４Ｂは、それぞれ、膨張式パウチ３４２を個別に調製するために使用できる膨張システム５００の正面図および側面図を示す。膨張システム５００は、フレーム５０２と、フレーム５０２によって支持されたウィケット５０４と、フレーム５０２によって支持されたガス供給源５０６とを含む。膨張式パウチ３４２は、膨張式パウチ３４０を含む。ウィケット５０４は、膨張式パウチ３４０内の孔４６６を通り、膨張式パウチ３４０をウィケット５０４から吊り下げる。ガス供給源５０６は、ガスをウィケット５０４の方に導くように構成された出口５０８を含む。いくつかの実施形態では、ガス供給源５０６は、外気を圧縮するように構成された圧縮機と、加圧ガスを収容する加圧ガス容器と、ファンと、ガスをウィケット５０４の方に導くように構成されたその他の機構とを含む。
【００４６】
図１４Ｂの描写では、膨張式パウチ３４０は、ガス供給源５０６の前に移動されている。いくつかの実施形態では、膨張式パウチ３４２は、ウィケット５０４に沿って自由に移動可能である。図１５Ａおよび図１５Ｂに示されるように、物品３５０は、ブラダパウチ３０４の前面部分３１０と後面部分３１２との間の膨張式パウチ３４０に挿入される。図示された実施形態では、膨張式パウチ３４０は、膨張性セル３０２がまだ膨張していない収縮状態にある。物品３５０は、タブレットコンピューティング装置であるが、物品３５０は、膨張式パウチ３４０のブラダパウチ３０４内でフィットすることができる任意の物品であり得る。
【００４７】
図１６Ａおよび図１６Ｂに示す実施形態では、物品３５０は膨張式パウチ３４０のブラダパウチ３０４内に完全に挿入されている。膨張式パウチ３４０もガス供給源５０６の下に位置している。ガス供給源５０６はまた、ガス５１０を出口５０８から膨張式パウチ３４０のポート３６０の方に導く。ポート３６０内に導かれたガス５１０は、共通チャネル３０６を通って膨張性セル３０２内に進む。逆止弁３２０は、ガス５１０が膨張性セル３０２から出るのを防ぐので、膨張性セル３０２は、膨張状態のままである。
【００４８】
膨張式パウチ３４０が、物品３５０で満たされ、ガス供給源５０６によって膨張した後、膨張式パウチ３４０をウィケット５０４から引き離すことができる。ウィケット５０４から引き離された膨張式パウチ３４０の一実施形態を図１７Ａおよび図１７Ｂに示す。膨張式パウチ３４０がウィケット５０４から引き離されるとき、膨張式パウチ３４０の一部が切断される。図示された実施形態では、弱化部分４６２が切断されて（すなわち、ミシン目線が切断されて）膨張式パウチ３４０をウィケット５０４から引き離すことが可能になる。膨張式パウチ３４０の引離し部分４６４は、弱化部分４６２が切断された後、ウィケット上に残る。場合によっては、膨張性セル３０２の膨張により、膨張式パウチ３４０上のフラップの角部（引離し部分４６４を含む）が前方向に丸まる。フラップの角部が前方向に丸まることにより、弱化部分４６２が下方に引っ張られるので、弱化部分４６２の引離し始めがより容易になり得る。
【００４９】
膨張式パウチ３４０がウィケット５０４から引き離された後、膨張式パウチ３４０のフラップを閉じることができる。膨張式パウチ３４０のフラップは、外装のフラップ部分４１４上の取付け領域４０６から剥離ライナを剥がし、取付け領域４０６の露出した接着剤を外装パウチ４０４の前面部分４１０の外装上に付着させることによって、閉じることができる。さらに、膨張式パウチ３４０がウィケット５０４から引き離された後、膨張式パウチ３４０に関して示された方法で、ウィケット５０４の前面に最も近い次の１つの膨張式パウチ３４２は、前方に進められ、充填され、膨張され得る。このプロセスは、膨張式パウチ３４２の一部または全部を個別に充填し、膨張させ続けることができる。
【００５０】
図１８Ａ、図１８Ｂ、および図１８Ｃに、それぞれ、膨張式パウチ６４０１、６４０２、および６４０３の実施形態の部分が示されている。膨張式パウチ６４０１、６４０２、および６４０３（集合的に膨張式パウチ６４０）は、ブラダパウチ６０４および外装パウチ７０４を含み、ブラダパウチ６０４の側部は、外装パウチ７０４の側部に直接に接合されていない。膨張式パウチ６４０は、ポート６６０を有するブラダのフラップ部分６１４および外装のフラップ部分７１４も含む。膨張式パウチ６４０は、膨張式パウチのフラップを閉じるために外装パウチ７０４の外部表面上に取付け領域７０６も含む。
【００５１】
図１８Ａから図１８Ｃの膨張式パウチ６４０の異なる実施形態は、１つ以上のウィケットを受け入れるための１つ以上の孔のさまざまな配置および膨張式パウチ６４０を１つ以上のウィケットから引き離すために切断することができる弱化部分のさまざまな実施形態を示す。
【００５２】
図１８Ａでは、膨張式パウチ６４０１は、フラップ部分６１４およびフラップ部分７１４を貫通する孔７６６１を含む。孔７６６１は、ウィケットを受け入れるように構成されており、膨張式パウチ６４０１は、ウィケットから吊り下げられ得る。弱化部分７６２１は、孔７６６１からフラップ部分６１４およびフラップ部分７１４の頂部まで延びる。図示された実施形態では、弱化部分７６２１は、ミシン目の付いたフラップであるが、弱化部分７６２１は、他の任意のタイプの弱化部分としてもよい。膨張式パウチ６４０１がウィケットから引き離されるとき、弱化部分７６２１が切断されて膨張式パウチ６４０１がウィケットから取り外され得る。この実施形態では、膨張式パウチ６４０１は、引離し部分を含まず、膨張式パウチ６４０１がウィケットから引き離された後、膨張式パウチ６４０１の部分は、通常、ウィケットに残らない。
【００５３】
図１８Ｂでは、膨張式パウチ６４０２は、フラップ部分６１４およびフラップ部分７１４を貫通する２つの孔７６６２を含む。孔７６６２は、２つのウィケットを受け入れるように構成されており、膨張式パウチ６４０２は、ウィケットから吊り下げられ得る。弱化部分７６２２は孔７６６２の上方に位置する。図示された実施形態では、弱化部分７６２２はフラップ部分６１４とフラップ部分７１４を貫通する切欠きであるが、弱化部分７６２２は、他の任意のタイプの弱化部分であってもよい。膨張式パウチ６４０２がウィケットから引き離されるとき、孔７６６２と弱化部分７６２２との間の膨張式パウチ６４０２の部分は、切断されて、膨張式パウチ６４０２は、ウィケットから取り外され得る。この実施形態では、膨張式パウチ６４０２は、引離し部分を含まず、膨張式パウチ６４０２がウィケットから引き離された後、膨張式パウチ６４０２の部分は、通常、ウィケット上に残らない。
【００５４】
図１８Ｃでは、膨張式パウチ６４０３は、フラップ部分７１４を貫通する３つの孔７６６３を含む。孔７６６３は、３つのウィケットを受け入れるように構成されており、膨張式パウチ６４０３は、ウィケットから吊り下げられ得る。弱化部分７６２３は、孔７６６２の下方で、かつブラダのフラップ部分６１４の上方に位置する。図示された実施形態では、弱化部分７６２３は、ミシン目線であるが、弱化部分７６２３は、他のタイプの弱化部分であってもよい。弱化部分７６２３は、引離し部分７６４３を画定する。膨張式パウチ６４０３は、ウィケットから引き離され得る、弱化部分７６２３が切断されて、膨張式パウチ６４０３は、ウィケットから取り外され得る。この実施形態では、引離し部分７６４３は、膨張式パウチ６４０３の残りの部分から取り除かれ、引離し部分７６４３は、ウィケット上に残る。
【００５５】
図１８Ａから図１８Ｃに示された膨張式パウチ６４０は、孔の数、弱化部分のタイプなど特定の構成を含む具体的な実施形態である。当業者は、本開示の範囲から逸脱することなく、図示された実施形態から構成（例えば、孔の数、弱化部分のタイプなど）の変形形態が可能であることを認識するであろう。
【００５６】
本開示の目的上、「上の」、「下の」、「垂直な」、「水平な」、「内部へ」、「外部へ」、「内部の」、「外部の」、「前方の」、「後方の」などの用語は、説明的なものとして解釈されるべきであり、特許請求される主題の範囲を限定するものではない。さらに、本明細書における「含む」、「備える」、または「有する」およびその変形の使用は、その後に記載される項目およびその同等物、ならびに追加項目を包含することを意味する。特に限定しない限り、本明細書における「接続された」、「結合された」、および「取り付けられた」という用語、およびこれらの変形は、広く使用されており、直接および間接の接続、結合、および取付けを包含する。特に明記しない限り、用語「実質的に」、「約」などは、目標値の５％以内を意味するために使用される。
【００５７】
本開示の原理、代表的な実施形態、および動作モードは、前述の説明において記載されている。しかしながら、保護されることを意図した本開示の態様は、開示された特定の実施形態に限定されると理解されるべきではない。さらに、本明細書に記載の実施形態は、限定的ではなく例示的と見なされるべきである。本開示の主旨から逸脱せずに、他者によって変形および変更がなされてもよく、同等物が使用されてもよいことが理解されるであろう。したがって、請求項に記載されているように、このような変形、変更、および同等物はすべて、本開示の主旨および範囲内にあることが明確に意図される。
【図１】
2019531945.tif 000003
【図２】
2019531945.tif 000004
【図３】
2019531945.tif 000005
【図４】
2019531945.tif 000006
【図５】
2019531945.tif 000007
【図６】
2019531945.tif 000008
【図７】
2019531945.tif 000009
【図８Ａ】
2019531945.tif 000010
【図８Ｂ】
2019531945.tif 000011
【図８Ｃ】
2019531945.tif 000012
【図９】
2019531945.tif 000013
【図１０Ａ】
2019531945.tif 000014
【図１０Ｂ】
2019531945.tif 000015
【図１１】
2019531945.tif 000016
【図１２Ａ】
2019531945.tif 000017
【図１２Ｂ】
2019531945.tif 000018
【図１２Ｃ】
2019531945.tif 000019
【図１３Ａ】
2019531945.tif 000020
【図１３Ｂ】
2019531945.tif 000021
【図１４Ａ】
2019531945.tif 000022
【図１４Ｂ】
2019531945.tif 000023
【図１５Ａ】
2019531945.tif 000024
【図１５Ｂ】
2019531945.tif 000025
【図１６Ａ】
2019531945.tif 000026
【図１６Ｂ】
2019531945.tif 000027
【図１７Ａ】
2019531945.tif 000028
【図１７Ｂ】
2019531945.tif 000029
【図１８Ａ】
2019531945.tif 000030
【図１８Ｂ】
2019531945.tif 000031
【図１８Ｃ】
2019531945.tif 000032
【国際調査報告】
2019531945.tif 000033
2019531945.tif 000034
2019531945.tif 000035